(57)【要約】      （修正有）【課題】ベルトバックル緊束調節構造を提供する。【解決手段】ベルト上に、中空殻状のフレームを結合し、ベルトの一端に結合する挿入素子５０がフレーム３０と共にバックルを構成し、フレーム体内部に、一端が停止構造を形成する弧状片４０を有して、フレームの開口端に枢結され、ベルトがフレームの弧状片下側を穿過した後、挿入素子が前記フレーム体に挿入されて、ベルトがスリーブを形成し、挿入素子により弧状片を圧迫して、もう一端の停止構造によりベルトを固定し、ベルトは単一方向にだけ外に引かれ、スリーブの緊束の調節操作が快速にでき、使用上便利である。【選択図】図２
0003144738.tif 000002
【実用新案登録請求の範囲】
【請求項１】
ベルトバックルの緊束調整構造であって、ベルト上に、中空殻状のフレームを結合し、前記ベルトの一端に結合する挿入素子が前記フレームと共にバックルを構成し、その特徴は、
前記フレーム体内部に、一端が停止構造を形成する弧状片を有して、前記フレームの開口端に枢結され、前記ベルトが前記フレームの弧状片下側を穿過した後、前記挿入素子が前記フレーム体に挿入されて、前記ベルトがスリーブを形成し、前記挿入素子により前記弧状片を圧迫して、もう一端の前記停止構造により前記ベルトを固定し、前記ベルトは単一方向にだけ外に引かれ、前記スリーブの緊束の調節操作ができることを特徴とするベルトバックルの緊束調整構造。
【請求項２】
前記弧状片は、前記フレームの後側に対応して凸片を凸設し、前記ベルトが前記弧状片下側を穿過する時、前記凸片により前記フレーム上壁を抵設して、前記弧状片の停止構造が前記ベルトを適当に圧制して固定し、前記ベルトが緩むのを防止することを特徴とする請求項１に記載のベルトバックルの緊束調整構造。
【請求項３】
前記ベルトは、伸縮作用のあるベルト（或いは、縄体）で、前記フレームと前記挿入素子が結合する時、弾性緊束のあるスリーブを形成することを特徴とする請求項１、或いは、２に記載のベルトバックルの緊束調整構造。
【考案の詳細な説明】
【技術分野】
【０００１】
本考案は、簡単な構造の組み立てにより、便利で快速な操作使用が可能で、迅速な組み立てでコストが低いベルトバックル構造に関するものである。
【背景技術】
【０００２】
図１は、公知のベルトバックル構造の立体図であり、ベルト１０一端に、両側が槽１１１を有するフレーム１１を直接結合し、もう一端は、漢字の「日」型のリング１２を設置して、調節可能なスリーブ１３上に挿入素子１４を結合している。挿入素子１４をフレーム１１に結合して、ベルト１０が固定の大きさのループ構造を形成する。
【０００３】
ベルト１０は、リング１２の位置を移動することにより、スリーブ１３の大きさを変更し、ベルト１０の長さを調節できることができる。
【０００４】
上述のベルトの調節は、図中の点線と矢印で示されるように、まず、リング１２の一側のベルト１０を内側に押し、リング上でアーチ型を形成した後、リング１２のもう一側を引いて平坦にして、ベルト１０の長さを調節し、その操作は非常に面倒で、時間がかかり、使用が不便である。
【０００５】
次に、メーカーの組立工程において、ベルト１０と合わせて使用される「日」型リング１２は、反覆して穿過する面倒な組み合わせで、また、局部が縫製の必要があり（リング１２下側の縫い線１５）、煩雑な工程が組み立て時間を長引かせ、コストも高くなる。
【考案の開示】
【考案が解決しようとする課題】
【０００６】
本考案の目的は、公知のベルトバックルの調整操作が面倒で、組立工程が煩雑である等の欠点を改善することにある。
【課題を解決するための手段】
【０００７】
本考案ノベルとバックルは、ベルト上に、内部に弧状片を枢結したフレーム、及び、相対して結合する挿入素子、からなる。
【考案の効果】
【０００８】
簡単な構造の組み立てにより、便利で快速な操作使用が可能で、迅速な組み立てでコストが低いベルトバックル構造が提供され、公知の問題を改善することができる。
【考案を実施するための最良の形態】
【０００９】
図２は、本考案の立体分解図で、ベルト２０上に、内部に弧状片４０を枢結したフレーム３０、及び、相対して結合する挿入素子５０、を結合する。
【００１０】
ベルト２０は、幅がフレーム３０に対応し、一端に挿入素子５０を結合する。
【００１１】
フレーム３０は、直方体のフレーム両側に二つの槽３１を設置し、槽３１の両側壁は、圧板３２を一体延伸し、フレーム３０は両開口端の両側壁に、二枢孔３３を設置し、枢結鞘３４を穿過する。
【００１２】
弧状片４０は、弾性のある弧状片体の一端に停止構造４１を形成し、もう一端の両側に、穿孔を有する枢部４２を凸設し、後側は枢部の一端に凸片４３を凸設する。
【００１３】
挿入素子５０は、一端が三本の棒部を有する三叉構造で、ベースをベルト２０の一端に結合する。
【００１４】
上述の構造により、弧状片４０をフレーム３０に置入し、枢部４２の穿孔とフレーム３０の開口端両側壁の枢孔３３が相対し、両枢結鞘３４は、フレーム３０外側から弧状片４０の枢部４２に挿入して枢結され、更に、一端が、挿入素子５０のベルト２０を結合して、弧状片４０の下側からフレーム３０を穿過する。簡単な構造により、図３で示されるベルトバックルを快速に組み合わせることができ、組み立て時間とコストを大幅に減少させることができる。
【００１５】
図３中、フレーム３０内に枢結する弧状片４０は、後側に凸設された凸片４３をフレーム３０上壁に抵接させ、弧状片４０の停止構造４１一端が、ベルト２０を適当に圧制して固定し、更に、矢印で示されるように、挿入素子５０は、弧状片４０上側からフレーム３０に挿入して両側の槽３１に結合し（図４を参照する）、フレーム３０一端に、緊束を提供するスリーブ２１（図４）を有するベルト２０が配置される。
【００１６】
図５は、図４の組み合わせ構造の縦向けの断面図で、フレーム３０内で、挿入素子５０により弧状片４０の後側を圧迫し（アーチ状の弧状片４０は既に、挿入素子５０により圧制されて平坦になっている）、弧状片４０内端の停止構造４１は、ベルト２０に対し、抵止固定を形成する。
【００１７】
図６は、本考案の緊束調節操作を示す断面図で、ベルト２０は、前図のように、フレーム３０内部の弧状片４０（図５）を枢結する抵止固定により、ベルト２０は矢印方向にだけ外に引かれ、スリーブ２１は、単一方向に緊束調節でき（図中の点線から実線に移動）、反対方向に緩むことがない。使用する時、直接、ベルト２０を引けば、短縮緊束の迅速な操作が行われ、使用が便利である。
【００１８】
上述のフレーム３０、弧状片４０、及び、挿入素子５０からなるバックルは、安全ベルト、スーツケースベルト、注射用の腕を縛る素子等、多元化使用ができる。ベルト２０は、伸縮作用のあるベルト（或いは、縄体）で、挿入素子５０によりフレーム３０を結合して、弾性のあるスリーブ２１を形成し、緊束操作が更に強固になる。
【００１９】
図７は、本考案の第二種の組み合わせ実施例の立体図で、フレーム３０が、もう一つの開口端の両側壁に二枢孔３３’を設置し、穿過する枢結鞘３４を、弧状片４０の枢部４２に枢結し、挿入素子５０がフレーム３０に結合され、図８で示されるような、もう一つの反対向きの組み合わせのベルトバックル構造が形成される。
【００２０】
図８は、本考案の第二種の組み合わせ実施例の断面図で、フレーム３０内に枢結された弧状片４０は、後側に凸設された凸片４３がフレーム３０上壁を抵接し、弧状片４０の停止構造４１一端が適当にベルト２０を圧制して、固定する。矢印で示されるように、挿入素子５０は、弧状片４０上側からフレーム３０に挿入されて、両側の槽３１に結合し（図７）、フレーム３０両端に、緊束を提供するスリーブ２１（図９）を有するベルト２０が配置される。
【００２１】
図９中、フレーム３０内に、枢結された挿入素子５０は、弧状片４０の後側を圧迫し（図８を参照すると、アーチ型の弧状片４０は、既に、挿入素子５０により圧制されて平坦になっている）、弧状片４０内端の停止構造４１が、逆止固定を形成する。
【００２２】
図１０は、本考案の第二実施例の緊束調節操作を示す断面図で、ベルト２０は、図で示されるように、フレーム３０内部に枢結された弧状片４０（図９）の固定により、ベルト２０は、矢印方向にだけ外に引かれ、スリーブ２１は単一方向に緊束調節し、反対方向に緩むことがない。使用する時、直接、ベルト２０を引けば、短縮緊束の迅速な操作が行われ、使用が便利である。
【図面の簡単な説明】
【００２３】
【図１】公知のベルトバックルの立体構造図である。
【図２】本考案の立体分解図である。
【図３】本考案の組み合わせ断面図である。
【図４】本考案のベルトがフレーム一端でスリーブを構成する構造の立体図である。
【図５】本考案のベルトがフレーム一端でスリーブを構成する構造の断面図である。
【図６】本考案の緊束調節操作を示す断面図である。
【図７】本考案の第二種の組み合わせ実施例の立体図である。
【図８】本考案の第二種の組み合わせ実施例の断面図である。
【図９】本考案の第二実施例によるベルトがフレーム一端でスリーブを構成する構造の断面図である。
【図１０】本考案の第二実施例による緊束調節操作を示す断面図である。
【符号の説明】
【００２４】
ベルト１０
フレーム１１
槽１１１
リング１２
スリーブ１３
挿入素子１４
縫い線１５
ベルト２０
スリーブ２１
フレーム３０
槽３１
圧板３２
枢孔３３
枢孔３３’
枢結鞘３４
弧状片４０
停止構造４１
枢部４２
凸片４３
挿入素子５０
【図１】
0003144738.tif 000003
【図２】
0003144738.tif 000004
【図３】
0003144738.tif 000005
【図４】
0003144738.tif 000006
【図５】
0003144738.tif 000007
【図６】
0003144738.tif 000008
【図７】
0003144738.tif 000009
【図８】
0003144738.tif 000010
【図９】
0003144738.tif 000011
【図１０】
0003144738.tif 000012